(57)【要約】【課題】次亜塩素酸の気体を揮発させ殺菌を行う気化式の空間殺菌装置において、放出された気体状次亜塩素酸をより短時間で中和し、室内空間の次亜塩素酸濃度を低下させ、次亜塩素酸の濃度に関して運転開始前の空間濃度に近しい環境を提供する。【解決手段】殺菌運転終了後に、送風部６と電極１１の動作を停止させた状態で、制御手段２５によって薬剤投入部１９を動作させ、チオ硫酸ナトリウムあるいはアスコルビン酸の固形タブレットをトレイ１０に投下させ、溶出を行なう。このとき、トレイ１０内の次亜塩素酸水に残留している次亜塩素酸は全て中和され、固形タブレットの成分はフィルタ７に供給される。次に送風部６が動作し、吸込口３から空間殺菌装置１内に吸い込まれた空気は、空気風路５を通過してフィルタ７に接触し、中和され、吹出口４から空間殺菌装置１外に排出される。【選択図】図２
2019136195.tif 000002
【特許請求の範囲】
【請求項１】
空気の吸込口と吹出口を備えた筐体の内部に、次亜塩素酸を含有する次亜塩素酸水を保持するトレイと、空気を接触させることによって含有する次亜塩素酸を揮発させる通風揮発手段であるフィルタと、室内空間の空気を取り込み前記フィルタに接触させて前記室内空間へと放出する送風手段と、前記次亜塩素酸を電気分解で生成する電解手段と、前記トレイ内へ水を供給する給水手段と、前記電解手段と送風手段と給水手段と排水手段とを制御して殺菌運転またはリフレッシュ運転とを行う制御手段とを備え、前記殺菌運転において、次亜塩素酸水を前記フィルタに含浸させ、室内の空気をフィルタに接触させて前記次亜塩素酸を気体として揮発させ、前記室内空間に拡散し、気体状の次亜塩素酸で前記室内空間を殺菌する空間殺菌装置において、前記制御手段は、前記殺菌運転の終了後に前記リフレッシュ運転を実行し、前記リフレッシュ運転において、チオ硫酸ナトリウムあるいはアスコルビン酸の溶液を前記フィルタに含浸させ、前記送風手段により前記空気を前記フィルタに接触させることで前記室内空間の空気中に含まれる次亜塩素酸をフィルタ上で中和反応させ、前記室内空間の次亜塩素酸濃度を低下させる空間殺菌装置。
【請求項２】
チオ硫酸ナトリウムあるいはアスコルビン酸はタブレット保管タンクに保管された固形タブレットであって、前記固形タブレットをトレイ内へ投入する薬剤投入部と、前記トレイ内は仕切り板によって次亜塩素酸が生成される電解槽部と該次亜塩素酸にフィルタを浸漬させる貯留槽部とに区切られており、前記電解槽部と貯留槽部とを繋ぐトレイ内循環配管と、前記トレイ内の水をトレイ内循環配管内へ通過させるトレイ内水移送部とを備え、制御部は、リフレッシュ運転の開始時に、前記薬剤投入部によって前記固形タブレットを前記トレイ内へ投入した後で、前記トレイ内循環配管を介して前記トレイ内の水が該トレイ内を循環するようにした請求項１記載の空間殺菌装置。
【発明の詳細な説明】
【技術分野】
【０００１】
本発明は、細菌やウィルスなどの浮遊微生物を除去する空間殺菌装置に関する。
【背景技術】
【０００２】
従来、この種の空間殺菌装置のなかには、吸込み口より取り込んだ空気をフィルタに接触させることで次亜塩素酸の気体を揮発させ、送風手段により装置外へ放出し、殺菌を行う気化式殺菌装置があった。
【０００３】
このような装置では、空間内に放出した気体状次亜塩素酸の空間濃度は自己分解などによって時間経過で減少していくことが示唆されていた。一方で、次亜塩素酸を液状で飛散させる噴霧式殺菌装置に比べ、気化式殺菌装置は、空間での存在時間の長い気体状の次亜塩素酸を放出するものである。そのため、有人空間での運転では、特に次亜塩素酸の臭いが気になる使用者に配慮して、低濃度運転を行い、空間内の次亜塩素酸濃度の低下をより速く行うことが求められていた。また、無人空間での運転では、高濃度運転においては運転終了後により早く管理基準濃度以下に制御することが必要とされている（例えば、特許文献１を参照）。このようなことから、噴霧式では液状次亜塩素酸を中和する試みもあった（例えば、特許文献２を参照）。
【先行技術文献】
【特許文献】
【０００４】
【特許文献１】国際公開第２０１７／０４７１３６号
【特許文献２】特開２００３−２７５６９７号公報
【発明の概要】
【発明が解決しようとする課題】
【０００５】
そこで本発明は、上記従来課題を解決するものであり、次亜塩素酸を液状で飛散させる噴霧式ではなく、有人空間に放出された気体状の次亜塩素酸をより短時間で中和し、空間の次亜塩素酸濃度を低下させ、次亜塩素酸の濃度に関して運転開始前の空間濃度に近しい環境を提供することを目的としている。
【課題を解決するための手段】
【０００６】
そして、この目的を達成するために、本発明に係る空間殺菌装置は、次亜塩素酸を含有する次亜塩素酸水を保持するトレイと、空気を接触させることによって含有する次亜塩素酸を揮発させる通風揮発手段であるフィルタと、室内空間の空気を取り込み前記フィルタに接触させて前記室内空間へと放出する送風手段と、前記次亜塩素酸を電気分解で生成する電解手段と、前記トレイ内へ水を供給する給水手段と、前記電解手段と送風手段と給水手段と排水手段とを制御して殺菌運転またはリフレッシュ運転とを行う制御手段とを備え、前記殺菌運転において、次亜塩素酸水を前記フィルタに含浸させ、室内の空気をフィルタに接触させて前記次亜塩素酸を気体として揮発させ、前記室内空間に拡散し、気体状の次亜塩素酸で前記室内空間を殺菌する空間殺菌装置において、前記制御手段は、前記殺菌運転の終了後に前記リフレッシュ運転を実行し、前記リフレッシュ運転において、チオ硫酸ナトリウムあるいはアスコルビン酸の溶液を前記フィルタに含浸させ、前記送風手段により前記空気を前記フィルタに接触させることで前記室内空間の空気中に含まれる次亜塩素酸をフィルタ上で中和反応させ、前記室内空間の次亜塩素酸濃度を低下させる構成としたものであり、これにより所期の目的を達成するものである。
【発明の効果】
【０００７】
本発明によれば、次亜塩素酸を含有する次亜塩素酸水を保持するトレイと、空気を接触させることによって含有する次亜塩素酸を揮発させる通風揮発手段であるフィルタと、室内空間の空気を取り込み前記フィルタに接触させて前記室内空間へと放出する送風手段と、前記次亜塩素酸を電気分解で生成する電解手段と、前記トレイ内へ水を供給する給水手段と、前記電解手段と送風手段と給水手段と排水手段とを制御して殺菌運転またはリフレッシュ運転とを行う制御手段とを備え、前記殺菌運転において、次亜塩素酸水を前記フィルタに含浸させ、室内の空気をフィルタに接触させて前記次亜塩素酸を気体として揮発させ、前記室内空間に拡散し、気体状の次亜塩素酸で前記室内空間を殺菌する空間殺菌装置において、前記制御手段は、前記殺菌運転の終了後に前記リフレッシュ運転を実行し、前記リフレッシュ運転において、チオ硫酸ナトリウムあるいはアスコルビン酸の溶液を前記フィルタに含浸させ、前記送風手段により前記空気を前記フィルタに接触させることで前記室内空間の空気中に含まれる次亜塩素酸をフィルタ上で中和反応させ、前記室内空間の次亜塩素酸濃度を低下させる構成にしたことにより、短時間で中和し、空間の次亜塩素酸濃度を低下させる空間殺菌装置を提供することができる。
【図面の簡単な説明】
【０００８】
【図１】本発明の実施の形態１の空間殺菌装置の概略図
【図２】同空間殺菌装置の断面の概略図
【図３】同空間殺菌装置のトレイの平面の概略図
【図４】本発明の実施の形態２の空間殺菌装置の概略図
【図５】同空間殺菌装置内のタブレット一時保持部の断面図
【発明を実施するための形態】
【０００９】
本発明の請求項１に係る空間殺菌装置は、次亜塩素酸を含有する次亜塩素酸水を保持するトレイと、空気を接触させることによって含有する次亜塩素酸を揮発させる通風揮発手段であるフィルタと、室内空間の空気を取り込み前記フィルタに接触させて前記室内空間へと放出する送風手段と、前記次亜塩素酸を電気分解で生成する電解手段と、前記トレイ内へ水を供給する給水手段と、前記電解手段と送風手段と給水手段と排水手段とを制御して殺菌運転またはリフレッシュ運転とを行う制御手段とを備え、前記殺菌運転において、次亜塩素酸水を前記フィルタに含浸させ、室内の空気をフィルタに接触させて前記次亜塩素酸を気体として揮発させ、前記室内空間に拡散し、気体状の次亜塩素酸で前記室内空間を殺菌する空間殺菌装置において、前記制御手段は、前記殺菌運転の終了後に前記リフレッシュ運転を実行し、前記リフレッシュ運転において、チオ硫酸ナトリウムあるいはアスコルビン酸の溶液を前記フィルタに含浸させ、前記送風手段により前記空気を前記フィルタに接触させることで前記室内空間の空気中に含まれる次亜塩素酸をフィルタ上で中和反応させ、前記室内空間の次亜塩素酸濃度を低下させるものである。
【００１０】
これにより、殺菌運転の終了後のリフレッシュ運転において、吸込口より取り入れた室内空間の空気をチオ硫酸ナトリウムあるいはアスコルビン酸を含浸したフィルタに接触させることで、前記室内空間の空気中に含まれる次亜塩素酸をフィルタ上で中和反応させ、前記室内空間の次亜塩素酸濃度を低下させることができるので、気体状の次亜塩素酸の濃度を従来よりも短時間で低下させることができる空間殺菌装置を提供することができる。
【００１１】
また、請求項２に係る空間殺菌装置は、チオ硫酸ナトリウムあるいはアスコルビン酸はタブレット保管タンクに保管された固形タブレットであって、前記固形タブレットをトレイ内へ投入する薬剤投入部と、前記トレイ内は仕切り板によって次亜塩素酸が生成される電解槽部と該次亜塩素酸にフィルタを浸漬させる貯留槽部とに区切られており、前記電解槽部と貯留槽部とを繋ぐトレイ内循環配管と、前記トレイ内の水をトレイ内循環配管内へ通過させるトレイ内水移送部とを備え、制御部は、リフレッシュ運転の開始時に、前記薬剤投入部によって前記固形タブレットを前記トレイ内へ投入した後で、前記トレイ内循環配管を介して前記トレイ内の水が該トレイ内を循環するようにしたものである。
【００１２】
これにより、チオ硫酸ナトリウムあるいはアスコルビン酸の固形タブレットは、リフレッシュ運転の開始時に薬剤投入部によりタブレット保管タンクからトレイ内へ投入されて、トレイ内水移送部によりトレイ内の水の循環が行われ固形タブレットを素早く溶出させる。すなわち、リフレッシュ運転移行後の室内空間の次亜塩素酸の濃度の低下をすみやかに行うことが可能となる。
【００１３】
以下、本発明の実施の形態について図面を参照しながら説明する。
【００１４】
（実施の形態１）
本実施の形態の空間殺菌装置１は、殺菌運転とリフレッシュ運転とを行うものである。
図１に本実施の形態の空間殺菌装置１の外観を示す。
図１に示すように、略箱形状の本体ケース２を備え、その両側面には室内空気を吸い込む略四角形状の吸込口３と、天面には浄化された空気を吹き出す略四角形状の吹出口４を設けている。
【００１５】
図２に示すように、本体ケース２内部には、空気風路５と、送風部６と、フィルタ７と、給水タンク８と、排水タンク９と、トレイ１０と、タブレット保管タンク１８と、制御手段２５とが設けられている。
【００１６】
空気風路５は、本体ケース２の内部において、フィルタ７と送風部６を通る風路であって、吸込口３から吹出口４とを連通させている。
【００１７】
送風部６は、本体ケース２の上部に設けられ、吹出口４に接続されている。送風部６は、一例として、モータとモータにより回転する羽根車と該モータと羽根車を囲むケースとから構成されるいわゆるシロッコファンを備えることが望ましい。
【００１８】
フィルタ７は、その表面に複数の開口部を有する回転可能な中空円筒形状体であり、送風部６よりも気流の上流側において、フィルタ７の表面が空気風路５を遮るように設けられている。
【００１９】
給水タンク８と排水タンク９とトレイ１０は、本体ケース２の下部に設けられており、これらは本体ケース２から取り外すことが可能である。
【００２０】
給水タンク８は、電解対象液として塩化ナトリウム溶液を貯留しており、トレイ１０内の塩化ナトリウム溶液の量に応じて、新たに塩化ナトリウム溶液を供給するものである。なお、電解対象液の貯留量は、一回の殺菌工程で給水タンク８への貯留がなくなる量である。
【００２１】
排水タンク９は、貯留槽部１５の内部の溶解液を排出するものである。
【００２２】
貯留槽部１５の内部の溶解液を排水タンク９に排出できるように排水手段１３を備えている。排水手段１３は、貯留槽部１５側に配置したポンプ２０とポンプ２０から排水タンク９側へ接続した配管２１とで構成している。
【００２３】
トレイ１０内には、電極１１を有する電解槽部１２と、排水手段１３と水移送部１４を有する貯留槽部１５とが設けられている。電解槽部１２は、給水タンク８から供給された塩化ナトリウムを電極１１で電気分解して溶解液として次亜塩素酸水を生成するものである。貯留槽部１５内部において、フィルタ７の下部を前記溶解液に浸漬させている。
【００２４】
電解槽部１２と貯留槽部１５とは、仕切り板１６によって区切られている。仕切り板１６において、貯留槽部１５と電解槽部１２間での前記溶解液の移動を制限するために、仕切り板１６の一端側の下部に隙間１７を備えている。
【００２５】
水移送部１４は、貯留槽部１５の貯留水を電解槽部１２へと移送できるように貯留槽部１５側に配置したポンプ２２とポンプ２２から電解槽部１２側へ接続した配管２３とで構成している。図３に示すように、ポンプ２２は、隙間１７を備えた仕切り板１６の前記一端側ではなく仕切り板１６の他端側に配置している。
【００２６】
貯留槽部１５の貯留水を電解槽部１２へ移送すると、電解槽部１２で生成した次亜塩素酸水は、隙間１７を通過して貯留槽部１５側へ供給されるものである。
【００２７】
本実施の形態では、貯留槽部１５の貯留水を電解槽部１２へ移送することにともない、隙間１７を通過して電解槽部１２から貯留槽部１５への貯留水（次亜塩素酸水）の移動を引き起こしトレイ１０内の貯留水を循環させることができるものである。
【００２８】
フィルタ７に電気分解した次亜塩素酸水を供給するためには、図３に示すようにフィルタ７の回転軸２４と仕切り板１６を並行にして設けることが好ましい。
【００２９】
タブレット保管タンク１８は、図２に示すように、本体ケース２の上部に設けられている。タブレット保管タンク１８の内部には、チオ硫酸ナトリウムもしくはアスコルビン酸の固形タブレットが保管されており、これらは薬剤投入部１９によりトレイ１０に投入される。
【００３０】
薬剤投入部１９は、開閉式の薬剤投入装置である。
【００３１】
また、制御手段２５は、本体ケース２内に設けられており、殺菌運転またはリフレッシュ運転において水移送部１４と電極１１と送風部６の動作を制御するものである。
【００３２】
続いて空間殺菌装置１の動作のうち本実施の形態に係る部分の主要な動作について説明する。
【００３３】
上記構成において、空間殺菌装置１の動作前に給水タンク８を取り付け、トレイ１０内に塩化ナトリウム溶液を供給する。なお、給水タンク８の内容物を水道水とし、塩化ナトリウムのタブレットを使用者がトレイ１０内に投入する形式としてもよい。
【００３４】
空間殺菌装置１を動作させると、まず、殺菌工程において、水移送部１４が動作しトレイ１０内で塩化ナトリウム溶液が攪拌される。次に、電極１１が動作し電解槽部１２内に存在する塩化ナトリウムが消費されて次亜塩素酸水が生成される。この次亜塩素酸水は仕切り板１６の隙間１７を通って貯留槽部１５に備えられたフィルタ７に供給される。
【００３５】
そして、送風部６が動作すると、室内空間の空気は、吸込口３から空間殺菌装置１内に吸い込まれ、空気風路５を流れてフィルタ７に接触し、吹出口４から空間殺菌装置１外の室内空間に排出される。この空気はフィルタ７と接触した際に除菌脱臭される。また、空気を所定の速度でフィルタ７に接触させることは次亜塩素酸の揮発特性を高め、吹出口４からの排出時には気体状の次亜塩素酸を十分に含んだ空気となり、除菌脱臭効果を発揮する。つまり、空間殺菌装置１は除菌脱臭効果を奏する。
【００３６】
制御手段２５は、これらの殺菌運転終了後に、リフレッシュ運転をさせることになる。
【００３７】
まず、制御手段２５が送風部６と電極１１の動作を停止させた状態で、薬剤投入部１９を動作させて、タブレット保管タンク１８に保管されたチオ硫酸ナトリウムあるいはアスコルビン酸の固形タブレットをトレイ１０内に投下される。水移送部１４が動作し、トレイ１０内では固形タブレットの溶出が行われる。このとき、トレイ１０内の次亜塩素酸水に残留している次亜塩素酸は全て中和され、固形タブレットの成分は次亜塩素酸水の中和完了後もトレイ内に所定の量残存している。水移送部１４の動作により、固形タブレットがトレイ１０内のいかなる場所に投入された場合も、貯留槽部１５に備えられたフィルタ７に供給することができる。残存している固形タブレットの成分により、フィルタ７には固形タブレットの成分が浸透した状態となる。
【００３８】
次に、制御手段２５が送風部６を動作させると、室内空間の空気は、吸込口３から空間殺菌装置１内に吸い込まれ、空気風路５を通過してフィルタ７に接触し、吹出口４から空間殺菌装置１外の室内空間に排出される。このとき、空間殺菌装置１内に吸い込まれた空気に含まれる気体状の次亜塩素酸は、フィルタ７と接触した際に中和されるので、排出時には気体状の次亜塩素酸を含んでいない状態となり、室内空間の気体状の次亜塩素酸の回収効果を有する。このようにして、空間殺菌装置１は殺菌工程終了後、次亜塩素酸の濃度に関して運転開始前の空間濃度に近しい環境を提供することができる。
【００３９】
（実施の形態２）
実施の形態１の構成において、空間殺菌装置１は、本体ケース２内に空気風路５があることと、トレイ１０の上部が開放状態になっていることから、殺菌工程の運転中、本体ケース２内に気体状の次亜塩素酸が充満しやすくなる。タブレット保管タンク１８が開閉式の薬剤投入部であるが、前記固形タブレットをトレイ内へ投入する際に、タブレット保管タンク１８内に気体状の次亜塩素酸が侵入する恐れがある。タブレット保管タンク１８内の前記固形タブレットは気体状の次亜塩素酸と中和反応を起こすため、トレイ１０に投入する前に消費してしまうことがある。前記固形タブレットをトレイ１０に投入した際に中和効果を最大限に発揮するためには、タブレット保管タンク１８内の雰囲気が空間殺菌装置１の本体ケース２内の雰囲気と独立していることが望ましい。
【００４０】
そこで、本実施の形態では、図４に示すように、本体ケース２内の上部には、タブレット保管タンク１８を内包し、密閉された筐体であるタブレット一時保持部２６が設けられ、タブレット保管タンク１８の内部にはチオ硫酸ナトリウムもしくはアスコルビン酸の固形タブレットが保管されている。
【００４１】
タブレット一時保持部２６は、制御手段２５によって開閉可能な蓋２７を底部に備えた筐体状の形状を有している。その内部は、図５に示すように、次亜塩素酸を吸着する材質である活性炭もしくは還元剤を主な材料とする吸着部材２８と、タブレット保管タンク１８を内蔵する構成としたものである。蓋２７は、タブレット一時保持部２６の底部の中でも１段低くなっている位置に備えられ、真上に薬剤投入部１９を配置している。
【００４２】
続いて空間殺菌装置１の動作のうち本発明の実施の形態に係る部分の主要な動作について説明する。
【００４３】
上記構成において、実施の形態１に記載した殺菌運転が終了すると、制御手段２５によって薬剤投入部１９が動作し、タブレット保管タンク１８内に保管されたチオ硫酸ナトリウムあるいはアスコルビン酸の固形タブレットは蓋２７が閉じた状態のタブレット一時保持部２６に移送され、蓋２７の上面に乗せられた形で保持される。その後、薬剤投入部１９が閉じてから蓋２７が開き、固形タブレットはトレイ１０に投入される。投入後、蓋２７は閉じる。
【００４４】
この動作を行うことにより、薬剤投入部１９の動作時には、空間殺菌装置１内の雰囲気からタブレット保管タンク１８内の雰囲気への干渉は微小に抑えられる。蓋２７が開いている時にタブレット一時保持部２６に侵入した気体状の次亜塩素酸は、吸着部材２８に吸着されるため、次回の薬剤投入部１９の動作時にはタブレット一時保持部２６の内部に存在しない。
【００４５】
このようにして、空間殺菌装置１はリフレッシュ運転において、次亜塩素酸の中和作用を十分に発揮することができる。
【産業上の利用可能性】
【００４６】
本発明に係る空間殺菌装置は、気体状の次亜塩素酸による空間殺菌後に、チオ硫酸ナトリウムあるいはアスコルビン酸の溶液を空間殺菌装置内のフィルタに含侵させ、フィルタを室内空気に接触させることで該室内空気中に含まれる次亜塩素酸をフィルタ上で中和反応させ、室内空間の次亜塩素酸濃度を短時間で低下させるものであり、医療施設や介護施設等の明確な除菌脱臭目的の存在する空間においても次亜塩素酸の残留に対する不快感が少ない空間殺菌装置として有用である。
【符号の説明】
【００４７】
１    空間殺菌装置
２    本体ケース
３    吸込口
４    吹出口
５    空気風路
６    送風部
７    フィルタ
８    給水タンク
９    排水タンク
１０    トレイ
１１    電極
１２    電解槽部
１３    排水手段
１４    水移送部
１５    貯留槽部
１６    仕切り板
１７    隙間
１８    タブレット保管タンク
１９    薬剤投入部
２０    ポンプ
２１    配管
２２    ポンプ
２３    配管
２４    回転軸
２５    制御手段
２６    タブレット一時保持部
２７    蓋
２８    吸着部材
【図１】
2019136195.tif 000003
【図２】
2019136195.tif 000004
【図３】
2019136195.tif 000005
【図４】
2019136195.tif 000006
【図５】
2019136195.tif 000007